(57)【要約】【課題】細長い配線カバー具との外観の統一感を得ることのできる成端箱を提供する。【解決手段】配線（宅側配線３，宅外側配線４）同士を接続する成端箱１において、細長い箱体１１を備え、箱体１１の内部における配線（宅側配線３，宅外側配線４）の配索経路が該箱体１１の長手方向に沿って一列状となるようにした。【選択図】図２
2007114252.tif 000002
【特許請求の範囲】
【請求項１】
細長い箱体と、
前記箱体の内部に配設され、配線同士を接続するコネクタと、
前記箱体の両端部に設けられて前記箱体の内部に連通し、前記配線が挿通される一対の挿通口と、
を備え、
前記箱体の内部における前記配線の配索経路が該箱体の長手方向に沿って一列状である成端箱。
【請求項２】
前記箱体の外側に設けられ、一方の前記挿通口に挿通される配線の余長部分を巻回するボビンを備える請求項１に記載の成端箱。
【請求項３】
前記箱体の一端部における両側部にそれぞれ設けられ、前記ボビンを前記箱体の側方に位置付けるボビン取付部を備え、
前記ボビンは、２つの前記ボビン取付部のうちのどちらか一方に取り付けられる請求項２に記載の成端箱。
【請求項４】
前記箱体は、細長いベース部材と、断面コ字状で細長く形成され前記ベース部材を覆うカバーと、前記カバーの両端部の開口を閉塞する一対の閉塞部材と、を有し、
前記挿通口は、前記閉塞部材に該閉塞部材の一方の側部に寄せて形成されており、
前記挿通口を前記箱体のどちらか一方の側部に選択的に寄せて前記閉塞部材を配置可能である請求項１ないし３の何れか一つに記載の成端箱。
【請求項５】
前記箱体の内面に設けられ前記コネクタを保持するコネクタ保持部と、
前記箱体の内面を流れる液体が前記コネクタへ向かうのを阻止する防水構造と、
を備える請求項１ないし４の何れか一つに記載の成端箱。
【請求項６】
前記箱体の端部には、配線カバー具が連結される連結口が形成されている請求項１ないし５の何れか一つに記載の成端箱。
【発明の詳細な説明】
【技術分野】
【０００１】
本発明は、成端箱に関する。
【背景技術】
【０００２】
従来、例えば住宅の外壁に設置され、宅外側の光ファイバケーブルと宅側の光ファイバケーブルとを接続する成端箱が知られている（例えば、特許文献１参照）。
【０００３】
特許文献１に記載された成端箱は、宅外側及び宅側の配線を成端箱の下面から成端箱内に導入して、それらの配線を成端箱内で接続している。
【特許文献１】特開２００２−３６５４４５号公報
【発明の開示】
【発明が解決しようとする課題】
【０００４】
ところで、このような成端箱によって宅外側の光ファイバケーブルに接続される宅側の光ファイバケーブルは、外壁に形成された配線口を介して外壁の内側へ配索され、宅内へ導入される。この場合、宅側の光ファイバケーブルは、成端箱とその配線口との間においては、外壁に配設された配線カバー具内に配索され、保護が図られる。このような配線カバー具は、細長い形状に形成されている。
【０００５】
これに対して従来の成端箱は、宅外側及び宅側の配線を成端箱の下面から成端箱内に導入しているため、宅外側及び宅側の配線が並列状態となり、成端箱の幅が配線カバー具の幅よりも大幅に大きくなってしまう。これにより、従来の成端箱は、配線カバー具との外観の統一感が図れず、美観を損なうという問題がある。
【０００６】
そこで、本発明は、細長い配線カバー具との外観の統一感を得ることのできる成端箱を提供することを目的とする。
【課題を解決するための手段】
【０００７】
請求項１に記載の発明の成端箱は、細長い箱体と、前記箱体の内部に配設され、配線同士を接続するコネクタと、前記箱体の両端部に設けられて前記箱体の内部に連通し、前記配線が挿通される一対の挿通口と、を備え、前記箱体の内部における前記配線の配索経路が該箱体の長手方向に沿って一列状である。
【０００８】
請求項２に記載の発明は、請求項１に記載の成端箱において、前記箱体の外側に設けられ、一方の前記挿通口に挿通される配線の余長部分を巻回するボビンを備える。
【０００９】
請求項３に記載の発明は、請求項２に記載の成端箱において、前記箱体の一端部における両側部にそれぞれ設けられ、前記ボビンを前記箱体の側方に位置付けるボビン取付部を備え、前記ボビンは、２つの前記ボビン取付部のうちのどちらか一方に取り付けられる。
【００１０】
請求項４に記載の発明は、請求項１ないし３の何れか一つに記載の成端箱において、前記箱体は、細長いベース部材と、断面コ字状で細長く形成され前記ベース部材を覆うカバーと、前記カバーの両端部の開口を閉塞する一対の閉塞部材と、を有し、前記挿通口は、前記閉塞部材に該閉塞部材の一方の側部に寄せて形成されており、前記挿通口を前記箱体のどちらか一方の側部に選択的に寄せて前記閉塞部材を配置可能である。
【００１１】
請求項５に記載の発明は、請求項１ないし４の何れか一つに記載の成端箱において、前記箱体の内面に設けられ前記コネクタを保持するコネクタ保持部と、前記箱体の内面を流れる液体が前記コネクタへ向かうのを阻止する防水構造と、を備える。
【００１２】
請求項６に記載の発明は、請求項１ないし５の何れか一つに記載の成端箱において、前記箱体の端部には、配線カバー具が連結される連結口が形成されている。
【発明の効果】
【００１３】
請求項１に記載の発明によれば、成端箱と細長い配線カバー具との外観の統一感を得ることができ、美観を損ねることを抑制することができる。
【００１４】
請求項２に記載の発明によれば、一方の挿通口に挿通される配線の余長部分をボビンに巻回することができる。
【００１５】
請求項３に記載の発明の成端箱によれば、箱体の両側部が互いに上下の位置関係となるように成端箱を横向き配置する場合、箱体のどちらの側部を上にしても、ボビンを箱体の下側に配置することができる。これにより、ボビンから成端箱に至る配線の配索経路を、上り経路とすることができ、よって、その配線を伝わって雨水などの液体が成端箱内部に侵入することを防止することができる。
【００１６】
請求項４に記載の発明の成端箱によれば、箱体の両側部が互いに上下の位置関係となるように成端箱を横向き配置する場合、箱体のどちらの側部を上にしても、挿通口を箱体の下部側に配置することができる。これにより、ボビンから成端箱に至る配線の配索経路を、確実に上り経路とすることができ、よって、その配線を伝わって雨水などの液体が成端箱内部に侵入することを防止することができる。
【００１７】
請求項５に記載の発明の成端箱によれば、箱体内部に侵入してその内面を流れる液体がコネクタに掛かることを防止することができる。
【００１８】
請求項６に記載の発明の成端箱によれば、成端箱を配線カバー具に連結することができる。
【発明を実施するための最良の形態】
【００１９】
本発明の一実施形態を図面に基づいて説明する。図１は、本実施形態の成端箱を配線カバー具と共に示す正面図、図２は、成端箱の内部構造を示す正面図、図３は、成端箱を示す分解斜視図、図４は、成端箱を示す側面図、図５は、成端箱のコネクタ保持部周辺を示す斜視図、図６は、図５におけるＡ方向から見た成端箱のコネクタ保持部周辺を示す断面図、図７は、封印用カバーが宅側配線側に取り付けられた成端箱の内部構造を示す正面図、図８は、封印用カバーが宅外側配線側に取り付けられた成端箱の内部構造を示す正面図である。
【００２０】
図１に示すように、本実施形態の成端箱１は、壁２に固定されると共に、細長い配線カバー具５０に連結され、配線である宅側配線３と宅外側配線４とを接続する。ここで、本実施形態では、壁２は、住宅の外壁であり、宅側配線３と宅外側配線４とは、例えば光ファイバケーブルである。また、成端箱１は、後述する箱体１１の一方の側部が上となるように箱体１１を横方向に延在させた状態で壁２に配設される。
【００２１】
図２及び図３に示すように、成端箱１は、細長い箱体１１と、この箱体１１の内部に配設されたコネクタ１２と、箱体１１の一端部において箱体１１の外側に取り付けられたボビン１３とを備えている。この成端箱１の箱体１１の内部における宅側配線３と宅外側配線４との配索経路は、箱体１１の長手方向に沿って一列状に設定されている。
【００２２】
箱体１１は、細長いベース部材１４と、このベース部材１４に取り付けられベース部材１４の内面１４ａを覆う細長いカバー１５と、このカバー１５の両端部を閉塞する閉塞部材１６とを有して、内部に配索空間が形成されている。
【００２３】
ベース部材１４は、板状部材であって、その長手方向に間隔をあけて２つのネジ孔１８が形成されており、このネジ孔１８に挿通されたネジ１９によって壁２に固定される。
【００２４】
カバー１５は、断面コ字状に形成されて、その両端部が開口されている。このカバー１５は、コの字の開口部をベース部材１４の内面１４ａに向けた配置で、ベース部材１４に着脱自在に取り付けられる。具体的には、カバー１５の一対の側壁２０の内面２０ａには、カバー１５の長手方向に延在するビード部２１が突出形成されている。一方、ベース部材１４の両側部には、ベース部材１４の長手方向に沿って凹状のレール部２２が延設されており、このレール部２２にビード部２１がスライド自在に嵌合される。この構造によって、カバー１５は、ベース部材１４にスライドによって着脱自在となっている。
【００２５】
カバー１５におけるボビン１３側とは反対側の端部は、箱体１１の長手方向において、ベース部材１４よりも長く形成されており、このカバー１５におけるベース部材１４によりも長い部分が、配線カバー具５０が連結される連結口２３となっている。この連結口２３の内側に配線カバー具５０の端部が嵌合され、これにより成端箱１と配線カバー具５０とが一体的に連結される（図１参照）。
【００２６】
図２ないし図４に示すように、閉塞部材１６は、矩形状の平板部材であり、カバー１５の内側に嵌合する形状に形成されている。この閉塞部材１６は、ベース部材１４の端部においてベース部材１４の幅方向（短手方向）に沿って形成された溝部２４に着脱自在に嵌合される。そして、閉塞部材１６が溝部２４に嵌合された状態で、ベース部材１４にカバー１５がスライド移動によって取り付けられることにより、閉塞部材１６がカバー１５の内側に嵌合し、閉塞部材１６がベース部材１４とカバー１５とによって位置決めされる。
【００２７】
この閉塞部材１６におけるベース部材１４の溝部２４側の部分には、切欠き形状の挿通口１６ａが閉塞部材１６の一方の側部に寄せて形成されている。この挿通口１６ａには、宅側配線３又は宅外側配線４が挿通される。閉塞部材１６は、挿通口１６ａを箱体１１のどちらか一方の側部に選択的に寄せた状態で配置可能である。したがって、本実施の形態においては、挿通口１６ａを箱体１１の上部又は下部に選択的に寄せた状態で閉塞部材１６を配置可能である。このような閉塞部材１６に対応させて、ベース部材１４の溝部２４には、閉塞部材１６の挿通口１６ａが箱体１１のどちらの側部に寄った状態でも、その挿通口１６ａの開放状態を維持する一対の切欠き部２４ａが形成されている。本実施形態では、閉塞部材１６は、その挿通口１６ａが該閉塞部材１６の下部に位置するように配置される。
【００２８】
図２及び図３に示すように、コネクタ１２は、互いに反対方向に開口した２つの接続口２５を直列に備える雌型コネクタである。一方（本実施の形態では左側）の接続口は、宅外側配線４用であり、他方（本実施の形態では右側）の接続口は、宅側配線３用である。このコネクタ１２は、ベース部材１４の内面１４ａの中央部に設けられたコネクタ保持部２６に着脱自在に取り付けられ、コネクタ保持部２６に取り付けられた状態では、箱体１１の長手方向に沿った配置となる。具体的には、コネクタ１２の両側面の中央部には、側方に突出するフランジ２７が形成されている。一方、コネクタ保持部２６は、ベース部材１４の内面１４ａに設けられコネクタ１２の背面を支持する台座２８とこの台座２８から立設されたフランジ支持部２９とから構成されている。この構造では、フランジ支持部２９にフランジ２７が圧入され、コネクタ１２の背面が台座２８に支持された状態でコネクタ１２がコネクタ保持部２６に保持される。
【００２９】
図５及び図６に示すように、コネクタ保持部２６の台座２８の縁部におけるベース部材１４側の部分には、台座２８の中心に向かって凹んだ段差部３０が形成されており、この構造によって、台座２８におけるコネクタ１２が当接する当接面２８ａとベース部材１４の内面１４ａとの間に溝部３１が形成されている。この溝部３１が、ベース部材１４の内面１４ａを流れる雨などの液体がコネクタ１２へ向かうのを阻止する防水構造として機能する。
【００３０】
図２及び図３に示すように、ボビン１３は、一方の挿通口１６ａに挿通される宅外側配線４の余長部分を巻回するものであり、半円状の底板３２と、この底板３２から立設された半円筒状の巻回部３３と、この巻回部３３の同心円上であって巻回部３３の径方向外側の位置で底板３２から立設された半円筒状の規制部３４とを備えている。規制部３４には、その両端部近傍に位置させて一対の切欠き部３４ａが形成されている。
【００３１】
ボビン１３は、ベース部材１４の一端部に形成されたボビン取付部３５に、巻回部３３の頂部が上側に位置しその両端部が下側に位置するように取り付けられる。具体的には、ボビン１３の底板３２には、巻回部３３の中央部に跨った係止孔３２ａが形成されている。一方、ボビン取付部３５は、ベース部材１４の一端部における両側部に一つずつ設けられている。ボビン取付部３５は、ベース部材１４の端部から側方へ延出して形成された棒状部材であって、その先端には、係止爪３５ａが形成されている。そして、この係止爪３５ａが係止孔３２ａに係止された状態で、ボビン１３がボビン取付部３５に接着固定される。このように、ボビン取付部３５に取り付けられたボビン１３は、一方の切欠き部３４ａが、箱体１１の長手方向において箱体１１よりも外側に位置するように位置決めされる。ここで、本実施形態では、ボビン１３は、ベース部材１４の側部のうち下側の側部に取り付けられる。このボビン１３において、巻回部３３に余長部分が巻回された宅外側配線４は、切欠き部３４ａを経由して箱体１１に導入される。
【００３２】
図３、図７及び図８に示すように、成端箱１には、封印用カバー３６が設けられている。封印用カバー３６は、ベース部材１４に先に配索された方の配線（宅側配線３又は宅外側配線４）とコネクタ１２との結合部分を覆うものである。封印用カバー３６は、断面コ字状に形成され、ベース部材１４の一対のレール部２２に一体に形成された嵌合部３７に圧入状態で嵌合される。嵌合部３７としては、宅側配線３側（本実施の形態では右側）の嵌合部３７と、宅外側配線４側（本実施の形態では左側）の嵌合部３７との二つが設けられている。ここで、宅側配線３とコネクタ１２との結合部分が封印用カバー３６で覆われた状態を図７に示し、宅外側配線４とコネクタ１２との結合部分が封印用カバー３６で覆われた状態を図８に示す。
【００３３】
図１に示すように、配線カバー具５０は、内部に配線空間が形成されており、壁２に配設される。この配線カバー具５０の内部には、宅内から壁２を貫通して導出された宅側配線３が配索される。そして、その宅側配線３がカバー具５の端部から成端箱１へ導出される。
【００３４】
次に、成端箱１による宅側配線３と宅外側配線４との接続手順の一例を説明する。この例は、宅側配線３の配索作業と宅外側配線４の配索作業とが異なる施工業者によってなされる場合へ適用されている。
【００３５】
宅側配線３の配索作業の作業工程を説明する。まず、カバー１５が取り付けられていない状態のベース部材１４を壁２にネジ１９によって固定する。次に、ベース部材１４に取り付けられているコネクタ１２の宅側配線３用の接続口２５に、宅側配線３の配線側コネクタ３ａを嵌める。次に、宅側配線３側の嵌合部３７に封印用カバー３６を取り付け、この封印用カバー３６を封印する。この封印により、宅側配線３の配索が完了したことが示される。次に、宅側配線３を右側の閉塞部材１６の挿通口１６ａに挿通させた状態で右側の閉塞部材１６をベース部材１４の溝部２４に嵌合し、この状態で、カバー１５をスライド移動によってベース部材１４に取り付ける。
【００３６】
次に、宅外側配線４の配索作業の作業工程を説明する。まず、ベース部材１４からカバー１５を取外す。そして、宅外側配線４の余長部分をボビン１３に巻回した後、宅外側配線４をボビン１３の切欠き部３４ａを経由して、ベース部材１４へ導き、宅外側配線４の配線側コネクタ４ａを、コネクタ１２の宅外側配線４用の接続口２５に嵌める。これにより、コネクタ１２によって、宅側配線３と宅外側配線４とが接続される。次に、宅外側配線４を左側の閉塞部材１６の挿通口１６ａに挿通させた状態で左側の閉塞部材１６をベース部材１４の溝部２４に嵌合し、この状態で、カバー１５をスライド移動によってベース部材１４に取り付けて作業を完了する。
【００３７】
このような構成の成端箱１によれば、細長い箱体１１と、箱体１１の内部に配設され配線（宅側配線３及び宅外側配線４）同士を接続するコネクタ１２と、箱体１１の両端部に設けられて箱体１１の内部に連通し配線（宅側配線３又は宅外側配線４）が挿通される一対の挿通口１６ａと、を備え、箱体１１の内部における配線の配索経路が該箱体１１の長手方向に沿って一列状であることにより、箱体１１の幅を極力小さく設定することができるので、成端箱１と細長い配線カバー具５０との外観の統一感を得ることができ、美観を損ねることを抑制することができる。
【００３８】
また、本実施形態によれば、箱体１１の外側に設けられ、一方の挿通口１６ａに挿通される配線の余長部分を巻回するボビン１３を備えることにより、一方の挿通口１６ａに挿通される配線の余長部分をボビン１３に巻回することができる。
【００３９】
また、本実施形態によれば、箱体１１の一端部における両側部にそれぞれ設けられ、ボビン１３を箱体１１の側方に位置付けるボビン取付部３５を備え、ボビン１３は、２つのボビン取付部３５のうちのどちらか一方に取り付けられることにより、箱体１１の両側部が互いに上下の位置関係となるように成端箱１を横向き配置する場合、箱体１１のどちらの側部を上にしても、ボビン１３を箱体１１の下側に配置することができる。これにより、ボビン１３から成端箱１に至る宅外側配線４の配索経路を、ボビン１３から成端箱１に向けて上り経路とすることができ、よって、宅外側配線４を伝わって雨水などの液体が成端箱１内部に侵入することを防止することができる。
【００４０】
また、本実施形態によれば、箱体１１は、細長いベース部材１４と、断面コ字状で細長く形成されベース部材１４を覆うカバー１５と、カバー１５の両端部の開口を閉塞する一対の閉塞部材１６と、を有し、挿通口１６ａは、閉塞部材１６に該閉塞部材１６の一方の側部に寄せて形成されており、挿通口１６ａを箱体１１のどちらか一方の側部に選択的に寄せて閉塞部材１６を配置可能であることにより、箱体１１の両側部が互いに上下の位置関係となるように成端箱１を横向き配置する場合、箱体１１のどちらの側部を上にしても、挿通口１６ａを箱体１１の下部側に配置することができる。これにより、ボビン１３から成端箱１に至る宅外側配線４の配索経路を、ボビン１３から成端箱１に向けて確実に上り経路とすることができ、よって、宅外側配線４を伝わって雨水などの液体が成端箱１内部に侵入することを防止することができる。
【００４１】
また、本実施形態によれば、箱体１１の内面１４ａに設けられコネクタ１２を保持するコネクタ保持部２６と、箱体１１の内面１４ａを流れる液体がコネクタ１２へ向かうのを阻止する溝部３１と、を備えることにより、箱体１１の内部に侵入してベース部材１４の内面１４ａを流れる液体がコネクタ１２に掛かることを防止することができる。
【００４２】
また、本実施形態によれば、箱体１１の端部には、配線カバー具５０が連結される連結口２３が形成されていることにより、成端箱１を配線カバー具５０に連結することができる。
【００４３】
なお、本発明は、本実施形態に限ることなく本発明の要旨を逸脱しない範囲で他の実施形態を各種採用することができる。
【図面の簡単な説明】
【００４４】
【図１】本発明の一実施形態の成端箱を配線カバー具と共に示す正面図である。
【図２】成端箱の内部構造を示す正面図である。
【図３】成端箱を示す分解斜視図である。
【図４】成端箱を示す側面図である。
【図５】成端箱のコネクタ保持部周辺を示す斜視図である。
【図６】図５におけるＡ方向から見た成端箱のコネクタ保持部周辺を示す断面図である。
【図７】封印用カバーが宅側配線側に取り付けられた成端箱の内部構造を示す正面図である。
【図８】封印用カバーが宅外側配線側に取り付けられた成端箱の内部構造を示す正面図である。
【符号の説明】
【００４５】
１      成端箱
３      宅側配線（配線）
４      宅外側配線（配線）
１１    箱体
１２    コネクタ
１３    ボビン
１４    ベース部材
１４ａ  内面
１５    カバー
１６    閉塞部材
１６ａ  挿通口
２３    連結口
２６    コネクタ保持部
３１    溝部（防水構造）
３５    ボビン取付部
【図１】
2007114252.tif 000003
【図２】
2007114252.tif 000004
【図３】
2007114252.tif 000005
【図４】
2007114252.tif 000006
【図５】
2007114252.tif 000007
【図６】
2007114252.tif 000008
【図７】
2007114252.tif 000009
【図８】
2007114252.tif 000010